(57)【要約】      （修正有）【課題】ポインティングオブジェクトによる操作の効率性を改善する。【解決手段】ポインティングオブジェクトの作用力が印加され、印加された位置情報を認識する媒体であるタッチスクリーンと、タッチスクリーンの下面の周縁に位置し、作用力を感知して所定の信号を発生させる多数の触覚センサーとから構成されたタッチスクリーン装置のフルブラウジング表示方法であって、ユーザの入力に基づき、タッチスクリーン装置に表われた画面の拡大モード、縮小モード及び画面移動モードのいずれか一つを設定し、作用力が入力された時、タッチスクリーンから位置情報を認識すると共に触覚センサーから作用力の大きさを感知し、認識された位置情報、感知された作用力の大きさに基づき、画面の拡大比率、縮小比率、前記画面の移動可否又はクリックを決定して表示する。【選択図】図６
2009217801.tif 000002
【特許請求の範囲】
【請求項１】
ユーザがポインティングオブジェクト(１)を使用して位置命令又は動作命令を入力し、前記ポインティングオブジェクト(１)の作用力(Ｆin)が印加され、 印加された位置情報を認識する媒体であるタッチスクリーン(２１０)と；前記タッチスクリーン(２１０)の下面の周縁に位置し、前記作用力(Ｆin)を感知して所定の信号を発生させる多数の触覚センサー(２３０)と；から構成されたタッチスクリーン装置のフルブラウジング表示方法であって、
前記ユーザの入力に基づき、前記タッチスクリーン装置に表われた画面の拡大モード、縮小モード及び画面移動モードのいずれか一つを設定するモード設定段階(Ｓ３０)； 
前記作用力(Ｆin)が入力された時、前記タッチスクリーン(２１０)から位置情報を認識し、前記触覚センサー(２３０)から前記作用力(Ｆin)の大きさを感知する段階(Ｓ３５)；及び、
認識された位置情報、感知された作用力(Ｆin)の大きさ及び前記モード設定段階(Ｓ３０)で設定されたモードに基づき、前記画面の拡大比率、縮小比率、前記画面の移動又はクリックイベントの発生可否を決定して表示する画面決定段階(Ｓ４０)；から構成されたことを特徴とする触覚センサーを用いたタッチスクリーン装置のフルブラウジング表示方法。
【請求項２】
前記モード設定段階(Ｓ３０)で画面の拡大モード又は縮小モードが選択された場合、前記画面決定段階(Ｓ４０)で画面の拡大比率又は縮小比率は、前記作用力(Ｆin)の絶対値に比例して決定されることを特徴とする第１項に記載の触覚センサーを用いたタッチスクリーン装置のフルブラウジング表示方法。
【請求項３】
前記画面決定段階(Ｓ４０)は、前記位置情報に基づき、前記作用力(Ｆin)が印加された支点の画面を前記タッチスクリーンの中心に移動させる段階をさらに含むことを特徴とする第１項に記載の触覚センサーを用いたタッチスクリーン装置のフルブラウジング表示方法。
【請求項４】
前記画面決定段階(Ｓ４０)は、前記位置情報に基づき、前記作用力(Ｆin)が印加された支点の画面を前記タッチスクリーンの中心に移動させる段階をさらに含むことを特徴とする第２項に記載の触覚センサーを用いたタッチスクリーン装置のフルブラウジング表示方法。
【請求項５】
前記モード設定段階(Ｓ３０)が実行される先だって、
前記ユーザが前記基準力(Fs)を設定する基準力設定段階(Ｓ１０)をさらに含むことを特徴とする第１項に記載の触覚センサーを用いたタッチスクリーン装置のフルブラウジング表示方法。
【請求項６】
前記基準力設定段階(Ｓ１０)と前記モード設定段階(Ｓ３０)との間には、
前記タッチスクリーン装置のインターネットのアドレス窓にウェブサイトのアドレスを入力したり、お気に入りとして指定してウェブサイトに接続したりする接続段階(Ｓ２０)をさらに含むことを特徴とする第５項に記載の触覚センサーを用いたタッチスクリーン装置のフルブラウジング表示方法。
【請求項７】
前記画面決定段階(Ｓ４０)は、
前記作用力(Ｆin)の大きさと設定された前記基準力(Ｆｓ)との大きさを比較する段階(Ｓ４３)；及び
その比較結果に基づき、前記画面の拡大比率、縮小比率、前記画面の移動又はクリックイベントの発生可否を決定する段階(Ｓ４４)を含むことを特徴とする第５項に記載の触覚センサーを用いたタッチスクリーン装置のフルブラウジング表示方法。
【請求項８】
前記比較段階(Ｓ４３)は、前記作用力(Fin)の大きさと設定された前記基準力(Ｆｓ)の大きさを引き算したり、割り算したりして比較することを特徴とする第７項に記載の触覚センサーを用いたタッチスクリーン装置のフルブラウジング表示方法。
【請求項９】
前記モード設定段階(Ｓ３０)で、画面移動モードが選択された場合、前記画面決定段階(Ｓ４０)は、
前記作用力(Ｆin)の大きさが前記基準力(Ｆｓ)の大きさの未満である場合、前記タッチスクリーン装置の画面が前記作用力(Ｆin)の印加軌跡に沿って移動しながら表示される段階(Ｓ４１)と；
前記作用力(Ｆin)の大きさが前記基準力(Ｆｓ)の大きさの以上である場合、前記作用力(Ｆin)が作用する位置のクリックイベントの発生により、ハイパーリンクとして指定されたウェブサイトに移動して表示される段階(Ｓ４２)；を含むことを特徴とする第５項に記載の触覚センサーを用いたタッチスクリーン装置のフルブラウジング表示方法。
【請求項１０】
前記ハイパーリンクの移動表示段階(Ｓ４２)は、
ハイパーリンクに移動時、所定の効果音を出力したり、又は、所定の振動を出力したりする段階をさらに含むことを特徴とする第９項に記載の触覚センサーを用いたタッチスクリーン装置のフルブラウジング表示方法。
【請求項１１】
前記作用力(Ｆin)大きさの感知段階(Ｓ３５)は、前記多数の触覚センサー(２３０)が出力する出力信号などのうち、最大値又は平均値を前記作用力(Ｆin)の大きさとして感知することを特徴とする第１項に記載の触覚センサーを用いたタッチスクリーン装置のフルブラウジング表示方法。
【請求項１２】
ユーザがポインティングオブオブジェクト(１)を使用して、位置命令又は動作命令を入力し、前記ポインティングオブオブジェクト(１)の作用力(Ｆin)が印加され、印加された位置情報を認識する媒体であるタッチスクリーン(２１０)と；前記タッチスクリーン(２１０)の下面の周縁に位置し、前記作用力(Ｆin)を感知して所定の信号を発生させる多数の触覚センサー(２３０)と；から構成されたタッチスクリーン装置に含まるコンピュータシステムにより読み取り可能であり、 
前記ユーザが前記基準力(Ｆｓ)を設定する基準力設定段階；
前記ユーザの入力に基づき、前記タッチスクリーン装置に表われた画面の拡大モード、縮小モード及び画面移動モードのいずれか一つを設定するモード設定段階；
前記作用力(Ｆin)が入力された時、前記タッチスクリーン(２１０)から位置情報を認識し、前記触覚センサー(２３０)から前記作用力(Ｆin)の大きさを感知する作用力大きさの感知段階；及び
認識された位置情報、感知された作用力(Ｆin)の大きさ及び設定されたモードに基づき、前記画面の拡大比率、縮小比率、前記画面の移動又はクリックイベントの発生可否を決定して表示する画面決定段階；を実行させるためのプログラムを記録した記録媒体。
【発明の詳細な説明】
【技術分野】
【０００１】
本発明は、触覚センサーを用いたタッチスクリーン装置のフルブラウジング表示方法であって、より詳しくは、ユーザが基準力(Ｆｓ)を設定した後、タッチスクリーン装置に表われたウェブサイト画面に対して、拡大モード、縮小モード、及び、画面移動モードのいずれか一つを設定し、ウェブサイト画面のうち、変化を所望する位置に作用力(Ｆin)を印加する場合、その強度によって画面の拡大、縮小、そして、基準力(Ｆｓ)と比較して画面移動及びクリックを決定するフルブラウジング表示方法に関する。
【背景技術】
【０００２】
最近、３.５世代の移動通信であるＨＳＤＰＡや、携帯インターネットワイブロ(Wibro)などの超高速の移動通信技術が常用化されつつ、フルブラウジングに対する関心が高くなった。特に、ＰＣ用のウェブサイトを携帯電話端末機などに表示することができるが、狭い携帯電話端末機などの画面に、ＰＣ用のインターネットの画面をそのまま具現することは容易ではない。それから、上下又は左右にスクロールしながらウェブページを読んだり、ズームイン又はズームアウトにより調整して全体を見たりすることができる。
【０００３】
従来、上下又は左右にスクロールバーを移動しがら、ウェブページを読む場合、左右にスクロールバーを操作しなければならない面倒さがあるのみならず、画面の下側と右側に形成されたスクロールバーが占める空間も、大きい空間を占めるため、画面領域がさらに小さくなるという問題がある。
【０００４】
また、従来、ズームイン又はズームアウトにより調整する場合、ポインティングオブジェクト(例えば、指又はスタイラスチップなど)で、携帯電話端末機などに装着されたタッチスクリーンを一回操作するごとに、当該ウェブページの画面が、例えば、２倍ずつ拡大されることとして設定し、当該ウェブページの画面を従前に比べて８倍ほど拡大しようとする場合、３回の操作が必要するなど、操作の効率性が悪くなるという問題がある。そして、このような効率性の問題は、携帯端末機(例えば、携帯電話、ＰＤＡなど)でフルブラウジングの使用を不便であるようにし、使用を避けるようにする原因として作用した。
【発明の開示】
【発明が解決しようとする課題】
【０００５】
本発明は、前記のような問題点を解消するためのものであって、本発明の目的は、ユーザがポインティングオブジェクト(例えば、指又はスタイラスチップなど)を用いて、位置命令又は動作命令を入力するための装置であって、ポインティングオブジェクトの作用力が印加され、それによる反作用力が伝達される媒体であるタッチスクリーンと；タッチスクリーンの下部の周縁に位置し、作用力を感知して所定の信号を発生させる触覚センサーと；から構成されたタッチスクリーン装置のフルブラウジング表示方法であって、
ユーザが、タッチスクリーン装置に基準力(Ｆin)を設定した後、タッチスクリーン装置に表われたウエブサイトの画面に対して、画面の拡大モード、縮小モード、および、画面移動モードのいずれか一つを設定し、ポインティングオブジェクトで、ウエブサイトの画面のうち、変化を所望する位置に作用力(Ｆin)を印加すると、その強度によって画面の拡大、縮小、そして、基準力(Ｆｓ)と作用力(Ｆin)とを比較して、画面の移動およびクリックを決定するフルブラウジングの表示方法を提供することにある。
【課題を解決するための手段】
【０００６】
前記の目的を達成するための本発明の具体的な手段として、ユーザがポインティングオブジェクト１を使用して位置命令又は動作命令を入力し、ポインティングオブジェクト１の作用力(Ｆin)が印加され、印加された位置情報を認識する媒体であるタッチスクリーン２１０と；タッチスクリーン２１０の下面の周縁に位置し、作用力(Ｆin)を感知して所定の信号を発生させる多数の触覚センサー２３０と；から構成されたタッチスクリーン装置のフルブラウジング表示方法であって、
ユーザの入力に基づき、タッチスクリーン装置に表われた画面の拡大モード、縮小モード、および、画面移動モードのいずれか一つを設定するモード設定段階(Ｓ３０)；
作用力(Ｆin)が入力された時、タッチスクリーン２１０から位置情報を認識し、触覚センサー２３０から作用力(Ｆin)の大きさを感知する段階(Ｓ３５)；および、
認識された位置情報、感知された作用力(Ｆin)の大きさおよび、モード設定段階(Ｓ３０)で設定されたモードに基づき、画面の拡大比率、縮小比率、画面の移動、又は、クリックイベントの発生可否を決定して表示する画面決定段階(Ｓ４０)；から構成されたことを特徴とする触覚センサーを用いたタッチスクリーン装置のフルブラウジング表示方法を提供する。
【０００７】
そして、モード設定段階(Ｓ３０)で、画面の拡大モード又は縮小モードが選択された場合、画面決定段階(Ｓ４０)で、画面の拡大比率又は縮小比率は作用力(Ｆin)の絶対値に比例して決定されることができる。
【０００８】
また、画面決定段階(Ｓ４０)は、位置情報に基づき、作用力(Ｆin)が印加された支点の画面を、タッチスクリーンの中心に移動させる段階をさらに含むことができる。
【０００９】
そして、モード設定段階(Ｓ３０)が実行されるに先だって、ユーザが基準力(Ｆｓ)を設定する基準力設定段階(Ｓ１０)をさらに含むのが望ましい。
【００１０】
そして、 基準力設定段階(Ｓ１０)とモード設定段階(Ｓ３０)との間には、タッチスクリーン装置のインターネットのアドレス窓にウェブサイトのアドレスを入力したり、「お気に入り」として指定して、ウェブサイトに接続したりする接続段階(Ｓ２０)をさらに含むことがより望ましい。
【００１１】
また、画面決定段階(Ｓ４０)は、作用力(Ｆin)の大きさと設定された基準力(Ｆｓ)の大きさとを比較する段階(Ｓ４３)；及び、その比較結果に基づき、画面の拡大比率、縮小比率、移動又はクリックの可否を決定する段階(Ｓ４４)を含むのが一番望ましい。
【００１２】
そして、比較段階(Ｓ４３)は、作用力(Ｆin)の大きさと設定された基準力(Ｆｓ)の大きさとを引き算したり、割り算したりして、比較することができる。
【００１３】
また、モード設定段階(Ｓ３０)で、画面移動モードが選択された場合、画面決定段階(Ｓ４０)は、作用力(Ｆin)の大きさが基準力(Ｆｓ)の大きさの未満である場合、タッチスクリーン装置の画面が作用力(Ｆin)の印加軌跡に沿って移動しながら表示される段階(Ｓ４１)と；作用力(Ｆin)の大きさが基準力(Ｆｓ)の大きさの以上である場合、作用力(Ｆin)が作用する位置のハイパーリンクとして指定されたウェブサイトに移動して表示されるハイパーリンク移動表示段階(Ｓ４２)と；を含むのが望ましい。
【００１４】
そして、作用力(Ｆin)の大きさが基準力(Ｆｓ)の大きさの以上である場合、ハイパーリンクに移動時、クリックの感じをあげるために所定の効果音を出力したり、又は、所定の振動を出力したりする段階をさらに含むのが一番望ましい。
【００１５】
なお、作用力(Ｆin)の大きさ感知段階(Ｓ３５)は、多数の触覚センサー２３０が出力する出力信号などのうち、最大値又は平均値を作用力(Ｆin)の大きさとして感知することができる。
【００１６】
前記のような本発明の目的は、他の異なるカテゴリーとして、ユーザがポインティングオブジェクト１を使用して、位置命令又は動作命令を入力し、ポインティングオブジェクト１の作用力(Ｆin)が印加され、印加された位置情報を認識する媒体であるタッチスクリーン２１０と；タッチスクリーン２１０の下面の周縁に位置し、作用力(Ｆin)を感知して所定の信号を発生させる多数の触覚センサー２３０と；から構成されたタッチスクリーン装置に含まるコンピューティングシステムにより読取可能であり、
ユーザが前記基準力(Fs)を設定する基準力設定段階；
ユーザの入力に基づき、タッチスクリーンに表われた画面の拡大モード、縮小モード、および、移動画面モードのいずれか一つを設定するモード設定段階；
作用力(Ｆin)が入力された時、タッチスクリーン２１０から位置情報を認識し、触覚センサー２３０から作用力(Ｆin)の大きさを感知する大きさ感知段階；及び、
認識された位置情報、感知された作用力(Ｆin)の大きさおよび設定されたモードに基づき、画面の拡大比率、縮小比率又は画面の移動およびクリックの可否を決定して表示する画面決定段階；を実行させるためのプログラムを記録した記録媒体によっても達成することができる。
【発明の効果】
【００１７】
本発明の触覚センサーを用いたタッチスクリーン装置のフルブラウジング表示方法は、ユーザがタッチスクリーン装置に表われたウェブページの画面のうち、変化を所望する位置に作用力(Ｆin)を一回印加することにより、画面の拡大、縮小又は移動を決定することであって、従前の画面を移動するためのスクロールバーをなくして、携帯電話端末機などの画面を、より効率的に用いることができる。
【００１８】
また、作用力の強度によって画面の変化が生じるところ、画面の変化のためにポインティングオブジェクトを使用して、複数回数の操作なしに一度の作用力の印加により、所望する画面の変化が可能であり、操作の効率性と便利性を図ることができる。
【発明を実施するための最良の形態】
【００１９】
以下、添付された図面を参照して、本発明の好適な実施例を詳しく説明する。
【００２０】
＜フルブラウジングのためのタッチスクリーン装置の構成＞
本発明のフルブラウジング表示方法は、触覚センサーを用いたタッチスクリーン装置上で具現されるものであって、まず、触覚センサーを用いたタッチスクリーン装置の構成および基本動作について考察する。
【００２１】
図１は、タッチスクリーン装置の基本構成を図示したものである。触覚センサーを用いたタッチスクリーン装置の構成には、基本的には、ポインティングオブジェクト１により作用力(Ｆin)が印加され、その位置情報を認識する媒体であるタッチスクリーン２１０と、タッチスクリーンの下部に位置し、作用力(Ｆin)を感知して所定の信号を出力する多数の触覚センサー２３０がある。
【００２２】
望ましくは、タッチスクリーン装置上での操作により、他のウェブサイトにハイパーリンクされる場合、ユーザにクリックの感じをあげるために振動を出力するためのアクチュエーター２２０と、触覚センサー２３０の信号とタッチスクリーンに印加された作用力の位置情報とに基づいてアクチュエーター２２０を駆動させるための所定の制御信号を出力する制御部４４０とがさらに含まる。
【００２３】
図１では、アクチュエーター２２０が触覚センサー２３０の上位に置かれたことを図示したものであり、アクチュエーター２２０と触覚センサー２３０の位置は互いに変わってもかまわない。また、アクチュエーター２２０と触覚センサー２３０の具体的な配線は、当業者の範囲で容易な事項であるので、ここでの詳しい説明は省略する。
【００２４】
触覚センサー２３０およびアクチュエーター２２０は、一つの単位体であって、複数の単位体が図２に示すように、タッチスクリーンの周縁に配列されることが望ましい。これは、タッチスクリーン２１０のディスプレイの機能を損なわないようにするためのものである。また、触覚センサー２３０がタッチスクリーン２１０の下部の周縁に複数個が配列されているので、ポインティングオブジェクト１、１´をマルチタッチ又はドラッグする方式で、複数の支点で作用力(Ｆin)を印加する場合にも各々の作用力(Ｆin)を感知することができる。
【００２５】
タッチスクリーン２１０は、これに接触しているポインティングオブジェクト１の位置に基づき、ディスプレイにカーソルなどの位置および動作命令のための入力媒体である。
【００２６】
タッチスクリーン２１０は、ＬＣＤ、ＯＬＥＤ、ＰＤＰ、電子インク表示装置などに使用されるタッチスクリーンとなることができ、また、フレキシブルタッチスクリーンとなることもできる。タッチスクリーンに印加されたポインティングオブジェクト１の位置情報の認識と、前記ＬＣＤ、ＯＬＥＤ、ＰＤＰ 、電子インク表示装置の特徴などは、当業者の範囲で知られる事項であるので、ここでの詳しい説明は省略する。
【００２７】
触覚センサー２３０は、タッチスクリーン２１０の下部に位置し、タッチスクリーン２１０に与えられたポインティングオブジェクト１の作用力(Ｆin)に基づいた信号を発生させて出力する。触覚センサー２３０から発生する信号は、ユーザが印加した作用力(Ｆin)の強度に比例する値を有する。
【００２８】
図３は、触覚センサー２３０の構成を示すものであって、触覚センサーは所定の厚さの高分子フィルム１０１上に、コーティング層１０２と金属層１０３が順に形成され、金属層１０３上に抵抗体１０４を形成して製造された上坂；と、所定の厚さの高分子フィルム１１１上に、コーティング層１１２と金属層１１３が順に形成され、金属層１１３上に抵抗体１１４を形成して製造された下坂；からなっており、上坂の抵抗体１０４と下坂の抵抗体１１４とが対向されるようにスペーサ１１５を含んで、ボンディングされて構成される。
【００２９】
制御部４４０は、触覚センサー２３０で感知した作用力(Ｆin)に対する信号とタッチスクリーンに印加された作用力の位置情報に基づき、制御信号を発生させ、このような制御信号をアクチュエーター２２０に伝送する。制御部４４０は、極小型であり、コンピュータ又は携帯用電子通信機器(ＰＤＡ端末機、携帯電話など)などにやすく内蔵可能なＭＩＣＯＭ、ＣＰＵ又は専用チップセットを用いることが望ましい。
【００３０】
制御部４４０では、反作用力(Ｆout)がタッチスクリーンを介して十分に伝達されるほどに、アクチュエーター２２０を駆動させるための制御信号が発生しなければならないので、このような制御信号の発生に必要な情報が、制御部４４０内に関数や、ルックアップテーブルで予め内蔵されているのが望ましい。
【００３１】
アクチュエーター２２０は、タッチスクリーン２１０の下部の周りに位置し、所定の振動がユーザに出力されるように駆動(回転、線型、並進運動など)される。すなわち、本発明で、タッチスクリーン上でポインティングオブジェクト１の操作により他のウェブサイトにハイパーリンクされる場合、ユーザにクリックの感じをあげるために、所定の振動(例えば、作用力(Ｆin)の属性が反映され、これに比例する反作用力(Ｆout)など)を出力する。この時、必要する場合、スピーカー(図示せず)を介して音響(例えば、“カチッ”という音)を出力するように構成することもできる。
【００３２】
アクチュエーター２２０としては、圧電アクチュエーター、ボイスコイル(voice coil)アクチュエーター、高分子アクチュエーターなどが使用される。前記のアクチュエーターの特性は、当業者の範囲で自明な事項であるので、詳しい説明は省略する。
【００３３】
＜フルブラウジングのためのタッチスクリーン装置の駆動方法＞
以下では、図４のタッチスクリーン装置の設置フローチャートを参照して、タッチスクリーン装置の基本的な駆動方法を簡単に考察する。図４に示すように、ユーザが作用力(Ｆin)を印加すると、信号線が形成された触覚センサー２３０で所定の信号が発生される。この時、触覚センサー２３０で発生された所定の信号は、作用力(Ｆin)の強度に比例する値で表われる。
【００３４】
触覚センサー２３０で発生された信号は、制御部４４０に印加される前に、触覚センサー２３０で発生された作用力の信号を順次検出するリレーマルチプレックサー４２０(Relay multiplexer)およびマルチプレックサー４２０の信号を所定のレベルに増幅させる増幅器４３０を介して処理されるのが望ましい。
【００３５】
ここで、増幅器４３０は、アナログ増幅器、デジタル増幅器、電圧増幅器など、様々な増幅器が使用される。また、触覚センサー２３０で発生された信号中に含まれた雑音を除去するための雑音除去部(図示せず：例えば、バンドパスフィルタ 、ローパスフィルタなど)をさらに付加することが望ましい。雑音を除去することにより、反作用力の具現時、効率を図ることができる。デジタル増幅器は、電力の消耗が少なく、大きさが小さいので、コンピュータ、携帯用電子製品などにやすく内蔵することができ、一つの注文型半導体(ＡＳＩＣ)に製作が可能であり、安価で大量生産が可能であるという利点がある。デジタル増幅器を使用する場合には、アナログ信号をデジタル信号との間に、信号を変換するためのコンバーター(図示せず：ＡＤＣ (analog-to-digital converter)又はＤＡＣ(digital-to-analog converter))をさらに付加することが望ましい。
【００３６】
作用力(Ｆin)の属性情報(例えば、位置、強度など)に基づき、制御部４４０で処理された制御信号はアクチュエーター２２０に印加され、アクチュエーター２２０が線型、並進又は回転運動などをして、所定の振動(例えば、作用力(Ｆin)の属性が反映され、これと比例する反作用力(Ｆout)など)を、ユーザが認知できるように伝達する。
【００３７】
図５ａおよび図５ｂは、触覚センサーを用いたタッチスクリーン装置が携帯電話端末機に装着されて、フルブラウジングを表示するために必要なウェブサイトの画面制御手段で拡大３０３、縮小３０１、画面移動３０２を決定する画面制御手段が位置した状態を示す。図５ａは、第１の実施例であって、拡大３０３、縮小３０１、画面移動３０２を決定する画面制御手段がタッチスクリーンの画面上に、ボタンで表示されて、ユーザに見られる状態を示したものであり、図５bは、第２の実施例であって、拡大３０３、縮小３０１、画面移動３０２を決定する画面制御手段がタッチスクリーンの外部に機械的なボタンで提供されることを示したものである。
【００３８】
＜フルブラウジング表示方法＞
本発明の一実施例による触覚センサーを用いたタッチスクリーン装置のフルブラウジング表示方法は、大きく、図６に示すように、ユーザの入力に基づき、タッチスクリーン装置に表われた画面の拡大モード、縮小モードおよび画面移動モードのいずれか一つを設定するモード設定段階(Ｓ３０)と；作用力(Ｆin)が入力された時、タッチスクリーン２１０から位置情報を認識し、触覚センサー２３０から作用力(Ｆin)の大きさを感知する段階(Ｓ３５)と；および認識された位置情報、感知された作用力(Ｆin)の大きさおよびモード設定段階(Ｓ３０)で設定されたモードに基づき、画面の拡大比率、縮小比率、画面の移動又はクリックイベントの発生可否を決定して表示する画面決定段階(Ｓ４０)と；から構成される。
【００３９】
望ましくは、基準力設定段階(Ｓ１０)およびウェブサイト接続段階(Ｓ２０)がさらに付加される。以下、図面を参照して好適な実施例について説明する。
【００４０】
まず、タッチスクリーン装置に基準力を設定する段階(Ｓ１０)を考察する。
【００４１】
ウェブサイトの画面を拡大、縮小および移動を決定するためには、ユーザが予め別の環境設定モードで基準力(Ｆｓ)を設定するのが望ましい。ユーザは、タッチスクリーン装置の環境設定モードのうち、基準力設定モードで所定の大きさの作用力(Ｆin)を印加する。この時に印加された作用力(Ｆin)により、触覚センサー２３０では、その強度に比例した信号が出力され、その出力信号は、基準力(Ｆｓ)としてタッチスクリーンに格納される。従って、ユーザによってタッチスクリーンに印加される作用力の強さが異なるので、基準力(Ｆｓ)は、ユーザ別に多様に設定することができる。このような過程を通じて、基準力を設定する段階が完成される。以下では、画面の拡大、縮小および移動についての説明の容易性を図るために基準力(Ｆｓ)の大きさを１Ｎとして考察する。
【００４２】
次に、タッチスクリーン装置にウェブサイトのアドレスを入力してウェブサイトに接続する接続段階(Ｓ２０)について説明する。ユーザは、タッチスクリーン上に自分が所望するウェブサイトのアドレス(ＵＲＬ)を入力し、これはタッチスクリーン装置のキーパッド画面にポインティングオブジェクトで作用力(Ｆin)を印加する方式である。タッチスクリーン装置にウェブサイトのアドレスを入力する方式(又は“お気に入り”で入力する方式)と、入力されたウェブサイトへの接続は、当業者の範囲で自明な事項であるので、詳しい説明は省略する。もし、タッチスクリーン装置上で表示されるコンテンツがウェブページではなく、文書ファイルであれば、接続段階(Ｓ２０)は省略され、文書ファイルのファイル開け段階に代替されることもできる。
【００４３】
次に、ユーザが、タッチスクリーン装置に表われたウェブサイトの画面を、所望する形態に表示する方法(Ｓ３０、Ｓ４０)について考察する。基本的に、画面決定段階(Ｓ４０)は、ユーザが予め設定した基準力(Ｆｓ)と作用力との大きさを比較し(Ｓ４３)、その比較結果に基づいて画面の拡大比率、縮小比率又は画面の移動およびクリックの可否を決定する(Ｓ４４)方式である。
【００４４】
まず、画面の拡大を決定するフルブラウジング表示方法について、図７を参照して考察する。図７に示すように、画面制御手段のうち、拡大３０３を選択してタッチスクリーン装置を拡大モードに設定する(Ｓ３０)。この後、ウェブサイトの画面上で、拡大を所望する位置にポインティングオブジェクト１で作用力(Ｆin)を印加する。
【００４５】
すると、作用力(Ｆin)が印加された支点を中心として、触覚センサー２３０が検出信号を出力する。このような触覚センサー２３０の検出信号のうち、一番大きい出力値又は平均値を作用力(Ｆin)として指定することができる。そして、作用力(Ｆin)が印加された支点の位置値(例えば、ｘ、ｙ座標値)は、タッチスクリーン装置から基本的に出力されることができたり、触覚センサー２３０の力の分布を通じて求めることができる。次に、作用力(Ｆin)が印加された支点は、タッチスクリーン２１０の中心に移動した後、拡大される(Ｓ４０)。この時、ユーザが印加した作用力(Ｆin)が２Ｎであれば、拡大される比率は、その絶対値に比例して２倍となり、４Ｎであれば、拡大される比率は４倍となる。つまり、画面の拡大比率を決定するパラメーターは、ユーザが印加した作用力(Ｆin)の大きさである。
【００４６】
前述したように、ユーザが画面制御手段のうち、拡大３０３を選択して拡大モードを設定(Ｓ３０)した後、ウェブサイトの画面のうち、拡大を所望する位置を再び２Ｎの力でクリックすると、クリックされたところを中心とした画面が、ディスプレイ部の中心に移動した後、２倍に拡大される方式(Ｓ４０)で具現されることができる。また、ユーザが画面制御手段のうち、拡大３０３にポインティングオブジェクト１(例えば、親指)で所定の作用力を続いて印加しながら、他のポインティングオブジェクト１´(例えば、人差し指)で、拡大を所望する位置に２Ｎ倍の作用力を印加すると、そこがタッチスクリーンの中心に移動して２倍に拡大される方式でも具現されることができる。そして、画面の拡大比率は、ユーザが印加する作用力(Ｆin)の絶対値に比例して決定することもでき、作用力(Ｆin)と基準力(Ｆｓ)とを比較(例えば、引き算又は割り算)して、その差に比例するように決定することもできる。特に、画面制御手段のうち、拡大３０３をクリックする時に印加する作用力(Ｆin)と基準力(Ｆｓ)とを比較(例えば、引き算又は割り算)して決定することもできる。
【００４７】
次に、画面の縮小を決定するフルブラウジング表示方法について考察する。ユーザは画面制御手段のうち、縮小３０１を選択して、タッチスクリーン装置を縮小モードに設定する(Ｓ３０)。その後、縮小を所望するウェブサイトの位置にポインティングオブジェクト１で作用力(Ｆin)を印加する。この時、作用力(Ｆin)の位置判断と大きさ判断は、前述した画面拡大の場合と同じであるので、説明を省略する。作用力(Ｆin)が印加された支点は、タッチスクリーンの中心に移動した後、所定の比率に画面が縮小される(Ｓ４０)。この時、ユーザが印加した作用力(Ｆin)が２Ｎであれば、縮小される比率は、その絶対値に比例して２倍となり、４Ｎであれば、縮小される比率は４倍となる。
【００４８】
画面の縮小を決定するフルブラウジング表示方法も、拡大を決定する方法と同様に、ユーザが画面制御手段のうち、縮小３０１をクリックして縮小モードを設定した後、縮小を所望する位置を、再び２Ｎの力でクリックすると、そこの画面がタッチスクリーンの中心に移動して、２倍縮小される方式(Ｓ４０)で具現されることができる。また、ユーザが画面制御手段のうち、縮小３０１にポインティングオブジェクト１(例えば、親指)で所定の作用力を続いて印加しながら、他のポインティングオブジェクト１´(例えば、人差し指)で縮小を所望する位置に２Ｎの作用力を印加すると、そこの画面がタッチスクリーンの中心に移動して、２倍縮小される方式でも具現されることができる。そして、画面の縮小比率は、ユーザが印加する作用力(Ｆin)の絶対値に比例して決定することもでき、作用力(Ｆin)と基準力(Ｆｓ)とを比較(例えば、引き算又は割り算)して、その差に比例するように決定することもできる。 特に、画面制御手段のうち、縮小３０１をクリックする時に印加する作用力(Ｆin)と基準力(Ｆｓ)とを比較(例えば、引き算又は割り算)して決定することもできる。
【００４９】
以下では、画面の移動を決定するフルブラウジング表示方法について考察する。前記画面の移動は、広義の概念であって、作用力の印加軌跡に沿って画面が上下左右に移動しながら表示される場合(狭義の画面の移動：スクロール)と、クリックイベントの発生によってハイパーリンクされた他のサイトに移動して表示される場合とに分けて見ることができる。広義の概念で、画面の移動のためにユーザは、まず、画面制御手段のうち、移動３０２を選択してタッチスクリーン装置を画面移動モードに設定する(Ｓ３０)。
【００５０】
以下、 作用力の印加軌跡に沿って画面が上下左右に移動しながら表示される場合(スクロール)について考察する。タッチスクリーン装置の画面移動モードの設定状態(Ｓ３０)で、ユーザが作用力(Ｆin)を印加しながら、タッチスクリーンの表面でポインティングオブジェクト１でドラッグする場合、この時の作用力(Ｆin)が基準力(Ｆｓ)の未満の大きさを有すると、ドラッグする方向に画面が移動することになる(Ｓ４０)。又は、ポインティングオブジェクト１が押された支点を、タッチスクリーン画面の中心に移動させることもできる。このような過程を通じて、画面を上下左右又は対角線方向など、任意の方向にスクロールすることができる。
【００５１】
以下、クリックイベントの発生によってハイパーリンク(ＨＴＭＬ)された他のサイトに移動して表示される場合について考察する。タッチスクリーン装置の画面移動モードの設定状態(Ｓ３０)で、ユーザが基準力(Fs)以上の作用力(Ｆin)を印加すると、作用力(Ｆin)が印加された支点とハイパーリンクされた他のサイトに移動して、当該サイトの活性化されたウェブページの画面がユーザに見られる(Ｓ４０)。
【００５２】
すなわち、作用力(Ｆin)が基準力(Ｆｓ)の未満である場合には、狭義の概念として画面移動(スクロール)が実行され(Ｓ４１：スクロール移動段階)、作用力(Ｆin)が基準力(Ｆｓ)の以上である場合、ハイパーリンクとして指定された他のウェブページに移動して、活性化された画面が切り替え表示される(Ｓ４２：ハイパーリンク移動段階)。
【００５３】
この時(Ｓ４２)、ユーザにクリックの感じをあげるために、所定の効果音又は振動がユーザに出力される段階がさらに実行されることが望ましい。振動の一例としては、ユーザが印加した作用力(Ｆin)の属性が反映され、これに比例する反作用力(Ｆin)を出力することができる。従って、このような場合、触覚センサー２３０を用いたタッチスクリーン装置には、振動を具現するためのアクチュエーター２２０と、アクチュエーターを駆動させるための制御信号を発生させる制御部４４０とが、さらに付加されることが望ましい。これらの駆動は、図４を参照して前述したものと同じである。クリックの感じをあげるための所定の振動は、携帯電話に備えた公知の振動モーターや、バイブレーターなどで具現することもできる。
【００５４】
図８ａは、タッチスクリーン上のデスクトップ３１０にウェブサイトの活性窓３１２、３１４が複数個開いている状態を示すものであり、図８ｂは、タッチスクリーン上に活性窓３１６と非活性窓３１８とが画面上に表われた状態の一実施例を示す。図８ａおよび８ｂに示すように、ＰＣの環境と同一であるように具現するのが、ユーザの操作の容易性を図ることができるので、望ましい。
【００５５】
＜記録媒体＞
前述したフルブラウジング表示方法を具現するための記録媒体は、ユーザが基準力(Ｆｓ)を設定するようにする基準力設定段階と；ユーザの入力に基づき、タッチスクリーン装置に表われた画面の拡大モード、縮小モードおよび画面移動モードのいずれか一つを設定するようにするモード設定段階と；作用力(Ｆin)が入力された時、タッチスクリーン２１０から位置情報を認識し、触覚センサー２３０から作用力(Ｆin)の大きさを感知するようにする大きさ感知段階；および、認識された位置情報、感知された作用力(Ｆin)の大きさおよび設定されたモードに基づき、画面の拡大比率、縮小比率、画面の移動又はクリックイベントの発生可否を決定して表示するようにする画面決定段階；を実行させるためのプログラムが記録されている。
【００５６】
そして、このような記録媒体は、ユーザがポインティングオブジェクト１を使用して、位置命令又は動作命令を入力し、ポインティングオブジェクト１の作用力(Ｆin)が印加され、印加された位置情報を認識する媒体であるタッチスクリーン２１０と；タッチスクリーン２１０の下面の周縁に位置し、作用力(Ｆin)を感知して所定の信号を発生させる多数の触覚センサー２３０と；から構成されたタッチスクリーン装置に含まるコンピューティングシステムによって読み取り可能である。
【００５７】
＜変形例＞
本発明の他の実施例であって、縮小３０１と拡大３０３を一つの画面制御手段で制御することができる。すなわち、縮小３０１と拡大３０３を一つのズーム(図示せず)ボタンで表示し、基準力(Ｆｓ)の未満では、前述した縮小段階が遂行され、基準力(Ｆｓ)以上では、前述した拡大表示段階が遂行されるように構成することができる。この時、縮小表示比率と拡大表示比率は、作用力と基準力(Ｆｓ)との差によって定めることができる。
【００５８】
その他の実施例であって、触覚センサーを用いたタッチスクリーン装置のフルブラウジング表示方法は、タッチスクリーン装置が携帯電話端末機だけでなく、ポケット用又はユーザが片手でも使用可能な個人携帯装置(例えば、ＰＤＡ、ＰＭＰ)などで具現することができる。
【００５９】
他の実施例であって、触覚センサーを用いたタッチスクリーン装置のフルブラウジング表示方法は、ウェブサイトを拡大、縮小又は移動することについて説明したが、ウェブサイトの画面以外にも電子本を読んだり、文書を読んだりする場合などにも適用されることは勿論である。
【００６０】
他の実施例であって、所定の効果音又は所定の振動を出力する段階は、画面の拡大モード又は縮小モードにも含まれて、ユーザも自分が印加した作用力(Ｆin)による反作用力(Ｆin)の大きさを感じて、拡大又は縮小される画面の大きさを予想するようにすることができる。
【００６１】
たとえ、本発明が、上記の好適な実施例に関連して説明されたが、発明の要旨と範囲から逸脱することなく、多様な修正や変形が可能である。従って、添付の特許請求の範囲は、本発明の要旨に属する限り、このような修正や変形を含む。
【００６２】
本明細書の添付の図面は、本明細書の好適な実施例を例示するものであり、発明の詳細な説明と共に、本発明の技術思想をさらに理解させる役割をするため、本発明は、そのようなの図面に記載された事項だけに限定して解析してはいけない。
【図面の簡単な説明】
【００６３】
【図１】タッチスクリーン装置の基本構成図である。
【図２】触覚センサーを用いたタッチスクリーン装置が携帯電話端末機に装着された正面図である。
【図３】触覚センサーの側面図である。
【図４】触覚センサーを用いたタッチスクリーン装置の設置フローチャートである。
【図５ａ】携帯電話端末機に触覚センサーを用いたタッチスクリーン装置が装着された状態で、画面の拡大、縮小および移動を決定する制御手段の配置状態図である。
【図５ｂ】携帯電話端末機に触覚センサーを用いたタッチスクリーン装置が装着された状態で、画面の拡大、縮小および移動を決定する制御手段の配置状態図である。
【図６】本発明の触覚センサーを用いたタッチスクリーン装置のフルブラウジング表示方法のフローチャートである。
【図７】タッチスクリーン装置に表われた画面が拡大される状態図である。
【図８ａ】タッチスクリーン上に活性窓が複数個開いている状態図である。
【図８ｂ】タッチスクリーン上に活性窓と非活性窓が画面上に表われた状態図である。
【符号の説明】
【００６４】
２１０…タッチスクリーン、
２２０…アクチュエーター、
２３０…触覚センサー、
３００…携帯電話端末機、
３０１…画面制御手段のうち、縮小、
３０２…画面制御手段のうち、移動(広義の移動)、
３０３…画面制御手段のうち、拡大、
３１０…デスクトップ、
３１２・３１４・３１６…活性窓、
３１８…非活性窓。
【図１】
2009217801.tif 000003
【図２】
2009217801.tif 000004
【図３】
2009217801.tif 000005
【図４】
2009217801.tif 000006
【図５ａ】
2009217801.tif 000007
【図５ｂ】
2009217801.tif 000008
【図６】
2009217801.tif 000009
【図７】
2009217801.tif 000010
【図８ａ】
2009217801.tif 000011
【図８ｂ】
2009217801.tif 000012